(57)【特許請求の範囲】
【請求項１】
アーム部（１４）が帯板状線材（１２）から構成される魚釣り用テンビンにおいて、
そのアーム部（１４）を構成する帯板状線材（１２）がアーム部（１４）の一端部（１４ｂ）で折り返されて折り返し部（１６）が形成され、該折り返し部（１６）がアーム部（１４）の下側に重ね合わされてその自由端（１６ａ）がアーム部（１４）の途中まで伸び、
前記折り返し部（１６）の自由端部にバネ性を有する弾性部（１６ｂ）が形成されることを特徴とする魚釣り用テンビン。
【請求項２】
前記弾性部（１６ｂ）は、帯板状線材（１２）を三角形状に折曲したものからなることを特徴とする請求項１記載の魚釣り用テンビン。
【請求項３】
前記アーム部（１４）の、前記折り返し部（１６）の弾性部（１６ｂ）の反自由端側には、おもり等を装着する為の道具装着部（１８）が設けられることを特徴とする請求項１または２に記載の魚釣り用テンビン。
【請求項４】
前記道具装着部（１８）は、アーム部（１４）及び折り返し部（１６）が挿通する連結具（２０）及び該連結具（２０）の移動を拘束する一つ以上のストッパー（２２）から構成されることを特徴とする請求項３記載の魚釣り用テンビン。
【発明の詳細な説明】
【０００１】
【発明の属する技術分野】
本発明は、アーム部が平坦面を有する帯板状線材から構成される魚釣り用テンビンに関するものである。
【０００２】
【従来の技術】
従来、この種の魚釣り用テンビンとしては、実公平８−６４６８号公報または登録実用新案第３０４７９７４号公報に記載されたものが知られている。
【０００３】
例えば、実公平８−６４６８号公報に記載されたものでは、湾曲したアーム部が帯板状線材から構成され、アーム部の一端において、帯板状線材が上方へと折曲されており、垂直方向に上方に伸びて、その上端で下方へと折り返されて道糸取付口を構成しており、垂直方向に下方に伸びて、さらにアーム部の前記一端よりも下方へと伸び、さらにその下端で再び上方と折り返されておもり取付口を構成している。そして、道糸取付口の下方及びアーム部の一端付近において垂直方向に伸びて折り重ねられた帯板状線材がスポット溶接にて溶接されている。
【０００４】
また、登録実用新案第３０４７９７４号公報に記載されたものでは、湾曲したアーム部が帯板状線材から構成され、アーム部の一端において、帯板状線材が上方へと折曲されており、垂直方向に上方に伸びて、その上端で下方へと折り返されて道糸取付口を構成しており、垂直方向に下方に伸びて、さらにアーム部の前記一端よりも下方へと伸び、さらにその下端で再び上方と折り返されておもり取付口を構成している。そして、道糸取付口の下方及びアーム部の前記一端付近において垂直方向に伸びて折り重ねられた部分にスパイラルが設けられている。
【０００５】
【発明が解決しようとする課題】
しかしながら、かかる公報に記載された魚釣り用テンビンにおいては、そのアーム部に相当する部分が１本の帯板状線材のみで構成されるためにバネ性限界荷重が小さく、荷重が作用してアーム部がテンビンとしてのバネ性を失うおそれがあるという問題がある。
【０００６】
また、おもり取付口を構成するために帯板状線材を折り返して、曲げ、潰し、溶接等の加工を行わなければならないために、金属疲労や剥がれといった故障が発生するおそれがあり、使用中に故障した場合、おもりなどの道具の紛失を招くという問題がある。また、加工のための作業工程を必要とし、製造コストの上昇を招くという問題もある。
【０００７】
本発明は上記課題に鑑みなされたもので、第１の目的は、テンビンとしてのバネ性を良好に保持することができる魚釣り用テンビンを提供することである。
【０００８】
また、第２の目的は、おもり等の道具装着部を安定して設けることができる簡単に製造することができる魚釣り用テンビンを提供することである。
【０００９】
【課題を解決するための手段】
前述した目的を達成するために、本発明は、アーム部が帯板状線材から構成される魚釣り用テンビンにおいて、そのアーム部を構成する帯板状線材がアーム部の一端部で折り返されて折り返し部が形成され、該折り返し部がアーム部の下側に重ね合わされてその自由端がアーム部の途中まで伸び、前記折り返し部の自由端部にバネ性を有する弾性部が形成されることを特徴とする。
魚がかかるまでは、アーム部はやわらかに動くことが要求されるが、アーム部の折り返し部が重ね合わされていない部分で、このやわらかさを確保することができる。その一方で、魚がかかった後は、バネ性を失わないような強い強度が要求されるが、アーム部の途中まで伸びる折り返し部がアンダーアームとして作用し、アーム部のバネ性を補強することができる。即ち、アーム部に沿って見ると、折り返し部が重ね合っている部分でたわみ強度が変化し高くなるので、折り返し部の自由端を支点としてアーム部がたわむことができ、結果としてバネ性限界荷重を上げることができるようになる。よって、従来であればバネ性を失ってしまうようなアーム部の逆反りも、本発明であれば可能となる。帯板状線材を用いており、その平坦面同士を重ね合わせることができるため、アーム部と折り返し部との重なり合い状態を安定して保持することができる。
【００１０】
また、折り返し部の自由端部にバネ性を有する弾性部を形成することにより、そのアーム部のバネ性をより確実に補強することができる。さらに、前記弾性部は、帯板状線材を三角形状に折曲したものから構成することができる。
【００１１】
また、前記アーム部の、前記折り返し部の弾性部の反自由端側に、おもり等を装着する為の道具装着部を設けることができる。アーム部の途中に道具装着部を設けることで、帯板状線材に特別な加工を施すことなく簡単に、且つ弾性部によって安定して道具装着部を設けることができる。道具装着部は、アーム部及び折り返し部が挿通する連結具及び該連結具の移動を拘束する一つ以上のストッパーから構成することができる。連結具及びストッパーにアーム部及び折り返し部を挿通させるだけで道具装着部を構成することができるので、曲げ、潰し、溶接等の加工をせずとも簡単に製造することができ、金属疲労や剥がれといった道具装着部の故障の発生を抑えることができる。また、アーム部及び折り返し部がストッパー及び連結具を挿通することによって、アーム部と折り返し部の横ズレを阻止することができ、アーム部と折り返し部の重なり合いをより安定して保持することができる。
【００１２】
【発明の実施の形態】
以下、図面を用いて本発明の実施の形態を説明する。
【００１３】
図１は本発明の実施形態に係る魚釣り用テンビンを表す図である。図において、このテンビン１０は、主に、帯板状線材１２から構成される。この帯板状線材１２は、少なくとも上下のいずれかに平坦面を有する線材（フラット線材）であり、例えば、スプリング用の丸線ステンレスを圧延加工することによって図２に示すような平坦面を上下に備える線材とすることができる。これにより、十分な材質強度、反撥力、復元力等を確保させることができる。また、丸線を圧延加工することによって、角部がなく、安全で使い勝手の優れたものとすることができる。
【００１４】
テンビン１０は、帯板状線材１２を円弧状に湾曲させて形成したアーム部１４を有している。アーム部１４は、湾曲形状に限らず、水平な直線形状とすることも可能である。そして、アーム部１４の先端部は折り返されて釣り仕掛け口１４ａが形成されている。また、アーム部１４の基端部（一端部）は折り返されて道糸取付口１４ｂが形成されると共に、アーム部１４の下側に重ね合わされて折り返し部１６が伸びている。折り返し部１６の自由端１６ａは、円弧状のアーム部１４の途中まで（アーム部１４の円弧の最下点よりも手前まで）伸びている。折り返し部１６は、その帯板状線材１２の平坦面を、アーム部１４の帯板状線材１２の平坦面と重ね合わせることにより、アーム部１４との重なり合い状態を安定して保持することができる。重ね合わせた部分には樹脂製チューブ１９を装着することにより、アーム部１４と折り返し部１６のずれを阻止して、これらの重ね合いをより安定して保持することができる。よって、アーム部１４と折り返し部１６とは溶接などにより接合される必要はない。
【００１５】
また、折り返し部１６の自由端部には、下方に突出する三角形状に折曲された弾性部１６ｂが形成されており、弾性部１６ｂの先端となる自由端１６ａはアーム部１４に接触している。三角形状となった弾性部１６ｂによる弾性により、自由端１６ａはアーム部１４に対して弾接する。但し、通常状態において、自由端１６ａは、アーム部１４より離反していてもよい。
【００１６】
前記アーム部１４の、前記折り返し部１６の自由端部付近には、その弾性部１６ｂの反自由端側におもり等を装着する為の道具装着部１８が設けられる。道具装着部１８は、おもりを連結する連結具２０と、連結具２０の移動を拘束する一対のストッパー２２、２２とから構成される。連結具２０及びストッパー２２、２２には、それぞれアーム部１４と折り返し部１６の両方を挿させるための挿通リング２０ａ及び挿通孔２２ａ、２２ａが形成されている。挿通孔２２ａの大きさをなるべく小さく設定することにより、ストッパー２２はアーム部１４と折り返し部１６とを挿通した状態で、アーム部１４に固定される。これら連結具２０及びストッパー２２、２２は、次のようにして、アーム部１４の途中の、前記折り返し部１６の自由端部付近に取り付けることができる。まず、折り返し部１６を形成する前に予め帯板状線材１２を連結具２０の挿通リング２０ａ及びストッパー２２、２２の挿通孔２２ａ、２２ａに挿通しておく。次いで、帯板状線材１２を折り返して、折り返し部１６を形成し、折り返し部１６に弾性部１６ｂを形成した後、自由端１６ａから、連結具２０及びストッパー２２、２２を弾性部１６ｂを変形させながら挿入して、弾性部１６ｂを通り超えた所で、ストッパー２２、２２を固定する。これによって、連結具２０をアーム部１４に取り付けることができる。弾性部１６ｂがあることで、連結具２０及びストッパー２２からなる道具装着部１８を脱落させることなく、安定してアーム部１４に設けることができる。また、連結具２０及びストッパー２２を、アーム部１４と折り返し部１６が挿通するために、アーム部１４と折り返し部１６の横ズレを阻止することができ、アーム部１４と折り返し部１６の重なり合いをより安定して保持することができる。
【００１７】
連結具２０は、前記挿通リング２０ａと、ジョイント部２０ｂと、おもり取付部２０ｃとから構成され、ジョイント部２０ｂによって、挿通リング２０ａとおもり取付部２０ｃとは、互いに回転可能となっている。このジョイント部２０ｂによって、おもり取付部２０ｃにおもり２４が取り付けられたときに、おもり２４がアーム部１４に対して絡むことが防止される。
【００１８】
以上のように構成されるテンビン１０は、折り返し部１６が重なり合っていないアーム部１４の部分で、テンビン１０として必要なやわらかさを確保することができると共に、折り返し部１６がアーム部１４の下側を途中まで重なり合っているため、アンダーアームとしてアーム部１４を補助することができる。たわみ強度が、折り返し部１６の重なり合っていない部分と重なり合っている部分とで異なるために、アーム部１４の途中で変化することになる。この変化点、即ち、折り返し部１６の自由端部１６ａはアーム部１４に固定されていないために、アーム部１４はバネ性を失うことなくたわむことができると共に、アーム部１４がバネ性を失いそうなときに、折り返し部１６がアンダーアームとしてアーム部１４を補強する。荷重が大きくなると、アーム部１４は、折り返し部１６の自由端部１６ａを支点として逆反りも可能となる。こうして、バネ性限界荷重を高めることができる。また、折り返し部１６の自由端部に形成された弾性部１６ｂによって、アーム部１４のバネ性を補強するとともに、前記たわみ強度の変化点における急峻な変化を緩和させることができる。
【００１９】
また、道具装着部１８は、アーム部１４と折り返し部１６が挿通する連結具２０とストッパー２２とから構成され、帯板状線材１２の曲げ、潰し、溶接などの加工によって形成されていないために、帯板状線材１２による金属疲労、折れ、剥がれといった問題が回避でき、おもり２４の紛失などといった問題を回避することができる。
【００２０】
【発明の効果】
以上説明したように、本発明のテンビンによれば、折り返し部がアーム部の下側に重ね合わされてアンダーアームとして作用するために、アーム部のバネ性を補強することができる。
【図面の簡単な説明】
【図１】図１は本発明の実施形態に係る魚釣り用テンビンを表す側面図である。
【図２】図１の帯板状線材の２−２線に沿って見た断面図である。
【図３】図１の３部分の拡大図である。
【符号の説明】
１０  テンビン
１２  帯板状線材
１４  アーム部
１６  折り返し部
１６ａ  自由端
１６ｂ  弾性部
１８  道具装着部
２０  連結具
２２  ストッパー
【図１】
0003840106.tif 000002
【図２】
0003840106.tif 000003
【図３】
0003840106.tif 000004